(57)【要約】【課題】  従来のブラシを更に改良し、メイクアップの品質を改善すること。【解決手段】  物質をケラチン質繊維に付ける、特にマスカラをまつげに付けるブラシ（１０）であり、ブラシが互いに並行でない少なくとも二つの軸線（Ｃ１；Ｃ２）に関して曲げられることを特徴とする。【選択図】図１
2005193067.tif 000002
【特許請求の範囲】
【請求項１】
物質をケラチン質繊維に付ける、特にマスカラをまつげに付けるブラシ（１０；２０；３０；４０）において、
ブラシが互いに並行でない少なくとも二つの軸線（Ｃ１；Ｃ２）に関して曲げられることを特徴とするブラシ。
【請求項２】
前記軸線（Ｃ１；Ｃ２）が、垂直方向に延びることを特徴とする請求項１に記載のブラシ。
【請求項３】
ブランク（５０；６０；７０；８０；１２０；１３０）のコア（１１）を曲げることができ、そのエンベロープ表面が、その長さの少なくとも一部分にわたり円対称であることを特徴とする請求項１または２に記載のブラシ。
【請求項４】
ブランクから作られ、それには一つ以上のノッチ（３１；３１´；７６）及び／または、一つ以上の切欠面（７６）がカットされていることを特徴とする請求項１または２に記載のブラシ。
【請求項５】
一つ以上の実質的に平面である切欠面（７６）が、ブランクでカットされることを特徴とする請求項１〜４のいずれか一項に記載のブラシ。
【請求項６】
ノッチ（３１´；７６´）が、外向きに凹形状の断面をしてブランクに形成されること（図２４；図２８）を特徴とする請求項４に記載のブラシ。
【請求項７】
奇数の切欠面またはノッチ、特に三つの切欠面またはノッチが、ブランクに作られて、ブラシをその長さの少なくとも一部分にわたって、通常はプリズム形状、特に三角形をした断面にすることを特徴とする請求項４〜６のいずれか一項に記載のブラシ。
【請求項８】
ブラシを作るため使用されるブランクは、断面が幾何学的に異なる方法で、コアの長さの少なくとも一部分にわたって変わることを特徴とする請求項１に記載のブラシ。
【請求項９】
ブランクのコアが第一軸線（Ｃ１）に関して曲げた後、少なくとも一つのポイントにおいて、ブラシの断面が非円対称になり、そのポイントはコアの湾曲平面に対し垂直な平面に関連することを特徴とする請求項１〜８のいずれか一項に記載のブラシ。
【請求項１０】
コアを起こして、見た目で直線状にした時、ブラシが少なくとも一つのノッチまたは切欠面（３１）を具備した部分を備え、ノッチまたは切欠面の幅が、最大でノッチまたは切欠面の一方の端部から他方の端部までになることを特徴とする請求項１に記載のブラシ。
【請求項１１】
一般的なピーナッツ形状（図１２）をしたブランクから作られることを特徴とする請求項１〜１０のいずれか一項に記載のブラシ。
【請求項１２】
一般的なピーナッツ形状（図１４）をしたブランクから作られることを特徴とする請求項１〜１１のいずれか一項に記載のブラシ。
【請求項１３】
一般的なブイ形状（図１５）をしたブランクから作られることを特徴とする請求項１〜１０のいずれか一項に記載のブラシ。
【請求項１４】
一般的な魚形状（図１６；図１７）をしたブランクから作られることを特徴とする請求項１〜１０のいずれか一項に記載のブラシ。
【請求項１５】
一般的な漏刻計形状（図３９）をしたブランクから作られることを特徴とする請求項１〜１０のいずれか一項に記載のブラシ。
【請求項１６】
一般的なラグビーボール形状（図３８）をしたブランクから作られることを特徴とする請求項１〜１０のいずれか一項に記載のブラシ。
【請求項１７】
ブラシを作るブランクが、ブラシの二つの軸線端部の間で、少なくとも一つの最大部分になる断面を有することを特徴とする請求項１〜１０のいずれか一項に記載のブラシ。
【請求項１８】
コアが、ブラシの長さの少なくとも一部分にわたって偏向することを特徴とする請求項１〜１７のいずれか一項に記載のブラシ。
【請求項１９】
コアが、より合わせられることを特徴とする請求項１〜１８のいずれか一項に記載のブラシ。
【請求項２０】
コアが左巻きのピッチであることを特徴とする請求項１９に記載のブラシ。
【請求項２１】
柄から突出する柄の軸線に関して、剛毛の端部によって形成されたらせん状シート（Ｎ）の傾斜角度を減らすように、コアが曲げられることを特徴とする請求項２０に記載のブラシ。
【請求項２２】
異なる長さの剛毛を有し、特に短い剛毛が、長い剛毛によって定められたエンベロープ表面によって画定したボリュームの範囲内に収まることを特徴とする請求項１〜２１のいずれか一項に記載のブラシ。
【請求項２３】
ケラチン質繊維に物質を付けるブラシ、特にまつげにマスカラを付けるブラシを製造する方法において、
ａ）直線状のコアによりブラシを作るステップ、
ｂ）コアを第一軸線（Ｃ１）に関して曲げるステップ、及び
ｃ）コアを第一軸線と並行でない第二軸線（Ｃ２）に関して曲げるステップ、
を含むことを特徴とする方法。
【請求項２４】
最初のブラシが、ステップａ）において、凹状及び／または凸状で少なくとも一つの実質的な平面である側面、または実質的に直線状或いは曲がった縁部を備えること、及びステップｂ）またはステップｃ）においてコアに生じさせられる曲がりが、
もし前記側面が最初実質的に平面であれば、凹状または凸状にされ、または前記側面が最初に凹状または凸状であれば、実質的に平面にされ、
前記縁部が最初実質的に直線状であれば、曲げられ、または前記縁部が最初に曲げられていれば、実質的に直線状にされること、
を特徴とする請求項１〜２３のいずれか一項に記載の方法。
【請求項２５】
コアがステップｂ）またはステップｃ）において、前記面に関して対称な中間面を構成するか、または前記縁部を含む湾曲平面において、曲げられることを特徴とする請求項２３に記載の方法。
【請求項２６】
ステップａ）のブラシを作るため使用される最初のブラシは、円筒形状、ピーナッツ形状、ブイ形状、魚形状、漏刻計形状またはラグビーボール形状であることを特徴とする請求項２３〜２５のいずれか一項に記載の方法。
【請求項２７】
一つ以上の切欠面またはノッチが、ステップａ）の最初のブラシにおいてカットされることを特徴とする請求項２３から２６のいずれか一項に記載の方法。
【請求項２８】
ステップｂ）においてコアに第一の曲がりが生じるブランクは、中間面に関して非対称的な形状であり、非直線縁部（５３；６４、６５；７４、７５；８４、８５）を備えること及び、
ステップｂ）またはステップｃ）において行われる曲げによって、前記縁部を実質的に直線状にするか、または少なくとも部分的に起こす効果を有することを特徴とする請求項２３〜２６のいずれか一項に記載の方法。
【請求項２９】
請求項１〜２２のいずれか一項で定義されたブラシを具備することを特徴とするメイクアップ装置。
【請求項３０】
物質の供給部を具備した容器（１０１）と、ワイパー（１０３）と、一方の端部にハンドル部材（１０２）を具備し、且つ他方の端部にブラシを具備した塗付装置とを備えることを特徴とする請求項１〜２９のいずれか一項に記載のメイクアップ装置。
【発明の詳細な説明】
【技術分野】
【０００１】
本発明は、化粧品またはケア製品をケラチン質繊維（keratinous fibers）に付ける装置、特にマスカラをまつげに付ける装置に関するものである。
【背景技術】
【０００２】
多くのブラシが、二つの互いにより合わせた金属ワイヤのより線によって形成され、それらの間に剛毛のふさを支持した、直線コアから成ることが知られている。
【０００３】
またコアが曲がる、すなわち軸線に関して傾くブラシも知られている。その様な既知の曲がるコアのブラシでは、コアは全体的に曲がる単一平面上に位置する。
【発明の開示】
【発明が解決しようとする課題】
【０００４】
従来のブラシを更に改良し、それによるメイクアップの品質を改善する必要があり、それは特に使用を簡単にすること、物質を取り入れること、及びまつげの間に剛毛を伸ばし、曲げ、入れることに関連し、及びまつげを分けることに関連する。
【課題を解決するための手段】
【０００５】
本発明は、その課題をケラチン質繊維に物質を付ける新たなブラシ、特にまつげにマスカラを付ける装置によって解決する。ブラシは、互いに並行でない少なくとも二つの軸線に関して曲がることを特徴とする。
【０００６】
ブラシの少なくとも幾つかの部分は、ブラシが接続されるハンドルの柄に対して、すなわちワイパーの軸線に対して軸が外れているので、本発明によるブラシが一様でない剛毛に物質を付けることができるようにする。
【０００７】
これにより、ユーザーはブラシ上の物質を供給して、まつげに追加的な量の物質を部分的に付けることができ、またよりしっかりとこすり付けられるか、まつげ特にまぶたの端にある小さなまつげを分けるのに適した、ブラシの部分を得ることも可能となる利点が得られる。
【０００８】
また本発明によって、特に人間学的な、すなわちまつげに充分な方法でメイクアップできるブラシを作ることが可能で、そのブラシがまつげに関する多くの位置を占める。
【０００９】
剛毛を支持するコアの一部が曲げられるので、ブラシをそのハンドル柄の軸線に関して回転させると、本発明によるブラシを横方向に揺動させることも可能で、それによって剛毛がまつげの間に入れられ、まつげに付ける。
【００１０】
最終的に、本発明によるブラシは、そのハンドル柄の軸線に関して回転する間、外形が変化するので、ブラシによって得られるまつげに対する効果は、ブラシの領域がまつげと接触する際のものとは異なる。
【００１１】
それに関してブラシに、まつげに特別なアクションを加える適切な種々の部分を具備させて、配置することが可能である。
【００１２】
コアに生じる曲がりは、物質の特性、それに望ましい付け方の特徴、及び方位を関数として選択され、付ける瞬間に、まつげに対応して、剛毛で行われる。
【００１３】
コアの曲がりに関する複数の軸線は、互いに垂直で任意に交差する方向に延びる。それらの軸は、ブラシの確定部分に関して、対称的な平面に属し得る。
【００１４】
ブラシを、回転体である表面エンベロープを有したブランクのコアを、その長さの一部分にわたって曲げられるように、作ることができ、そのような方法で前記一部分にわたって前記表面エンベロープの形状を変えることができる。
【００１５】
ブラシは任意に、一つ以上のノッチ及び／または一つ以上の切欠面がカットされたブランクから作ることができ、その切欠面は実質的に平面であり、ブランクの直線コアと並行に、またはそれに対し角度をなしている。
【００１６】
ノッチがカットされると、ノッチは外向きに凹形状の断面となり得る。
【００１７】
奇数個の切欠面またはノッチ、例えば三個の切欠面またはノッチをブランク上に作ることでき、それによってブラシの本体の断面が、少なくともその長さの一部分にわたって、一般的にプリズム形状、特に三角形になる。
【００１８】
切欠面またはノッチの数も、変えることができる。
【００１９】
本発明のブラシに関するブランクは、そのコアを曲げることができ、コアの長さの少なくとも一部分にかけて、幾何学的に異なるように、変化する断面を備え得、好ましくは断面は、コアが第一軸の周囲に曲がった後、少なくとも一つのポイントで、コアの湾曲平面に対し垂直な平面に関して非対称である。
【００２０】
用語“幾何学的に異なる”（相似でない）は、コアに沿った異なる位置で得られる二つの断面に関して使用されており、それらの断面は他の一つを拡大しただけではなく、一方の断面から別の断面への寸法の割合が、コアの軸線の周囲の全方向にわたって同じはないということである。
【００２１】
好ましい実施例において、ブラシの少なくとも一部分にわたり曲がる面に関して非対称である、それにより断面が幾何学的に異なるように変化する。
【００２２】
本発明によるブラシのコアを起こして、見るために直線状にすると、ブラシが少なくとも一つの切欠面またはノッチを具備した部分を備えことでき、切欠面またはノッチの幅は、最大で切欠面またはノッチの一方の軸線方向端部から、他方のその端部まで延びる。
【００２３】
特別な一実施例において、ブラシは一般的にピーナッツ形状のブランクから成り、実質的に少なくとも一つの平面をブラシの一側に有することができ、例えば実質的に三つの平面が、コアの軸線の周囲で三角形になるように配置されている。
【００２４】
またブラシは、一般的な弾丸、ブイ、魚、ラグビーボール（アメリカンフットボール）、または漏刻計の形状をしたブランクから作ることもできる。また上記リストに制限されることはない。
【００２５】
特にブラシが作られるブランクは、例えばブラシの二つの端部の間で少なくとも一つの最大部分を成すように、変化する断面を有することができる。
【００２６】
ブランクは、コアを曲げる前に切欠面またはノッチを形成するため、機械加工される。
【００２７】
コアを曲げる前または後に、コアはブラシの長さの少なくとも一部分にわたって、偏心させることができる。
【００２８】
コアは、左巻きまたは右巻きのピッチによる、より合わせコアからなっており、例えば左巻きのピッチは、フランス国特許出願公開明細書FR-A-2 701 198に記載されている。
【００２９】
左巻きのピッチブラシにおいて、コアのより線は巻きを形成するため、左に回すことによって、より合わせられ、巻きはハンドル柄に固定された端部からコアの軸線に沿ってみて、ハンドル柄からブラシの自由端部へと時計回りに回る。
【００３０】
有利にはコアは、左巻きのピッチブラシに関して曲げられると、前記柄から突出するハンドル柄の軸線に対応して、剛毛により形成されたらせん状シートの傾斜を減らすようになっており、まつげと前記シートとの間の角度を増すことによって、まぶたの端のまつげの分けを改善できるようにする。
【００３１】
ブラシは右巻きのピッチを有し、コアの曲がりはその方法を変えることもでき、剛毛のシートを、所望のメイクアップの成果を得るため、特定の方向に向かせられる。
【００３２】
別タイプの剛毛も使用することができ、特にブラシは剛毛と一体型に成形することができる。
【００３３】
ブラシは、種々の長さの剛毛を有することができ、特に短い剛毛は、長い剛毛によって画定されたエンベロープ表面により定義されたボリュームに含まれる。
【００３４】
剛毛は、例えば円形の先端部またはフォーク状の端部を形成するため、どの従来トリートメントも受け入れることができる。
【００３５】
それによって、混合した剛毛を利用すること、及びいかなる種類の剛毛、例えば中空で、毛細状溝を有し、好ましくは変形する領域を有し、螺旋形状または平坦な剛毛を利用することも可能であるが、剛毛は上記のリストに限定されるものではない。
【００３６】
少なくとも一部分の長さに沿って、ブラシの横断面を段にすることができる。
【００３７】
ブラシの軸線に、ハンドルの柄の近くで角度をつけることができる。コアが曲げられると、コアはハンドルの柄で受けられる部分の近くで、鋭角的に撓むことができる。
【００３８】
ハンドルの柄から遠位のブラシの端部は、柄の軸線に関して偏心し、且つブラシが柄の直径に適合する比較的固いワイパーを通り抜けると、ブラシがワイパーを通る際に曲がり得て、そしてワイパーを抜けるとすぐに、横方向に動かすと、最初の形態に戻ることができ、ブラシの端部で生じる物質のいかなる滴下のリスクも減らす。これによって、ブラシの自由端部で生じ、付ける際中に厄介なものになり得る物質の滴下のいかなるリスクも減らす。
【００３９】
また本発明は、物質をケラチン質繊維に付けるブラシ、特にマスカラをまぶたに付けるブラシを製造する方法も提供し、その方法は、
ａ）直線コアによりブラシを作るステップ、
ｂ）コアを第一軸に関し曲げるステップ、
ｃ）コアを第一軸と並行でない第二軸に関し曲げるステップ、
を含む。
【００４０】
ステップａ）における最初のブラシは、実質的に平面、凹状そして／または凸状の少なくとも一つの側面に、または実質的に直線状または曲がった縁部を備え、ステップｂ）またはステップｂ）においてコアを曲げることによって、
前記側面が最初実質的に平坦であれば、側面を凹状または凸状にするか、またはもし前記側面が最初に凹状または凸状であれば、側面を平らにすること、
または、もし前記縁部が最初実質的に直線状であれば、曲げること、または前記縁部が最初に曲がっていれば、実質的に直線状にすること、
ができる。
【００４１】
ステップｂ）またはｃ）において、コアは、前記側面に関して対称的な中間面を構成する、または前記縁部を含んだ湾曲平面で、曲げることができる。
【００４２】
ステップａ）のブラシを作るため使用される最初のブラシは、任意に円対称形状、特に円筒形、ピーナッツ形状、ブイ形状、魚形状、漏刻計形状、ラグビーボール形状にすることができ、そして一つ以上の切欠面またはノッチを、前記最初のブラシにおいてカットすることもできる。
【００４３】
ブランクのコアはステップｂ）で先ずより合わせられ、ブランクは中間面に関して非対称形状でなり得て、中間面は任意にコアに対し垂直であるか、またはコアの軸線を含む。
【００４４】
またハンドルの柄の軸線に対し垂直方向に見ると、ブランクは、非直線状の縁部も有し得、そしてステップｂ）またはｃ）において行われる曲げは、前記縁部を実質的に直線状にする効力、または少なくとも部分的に起こすような効力を有し得る。
【００４５】
ブラシは、ステップｂ）の最後とステップｃ）の前に、その長さが一定でない曲がりを生じ得、特に直線部分及び湾曲部分の両方を有し得る。
【００４６】
また本発明は、上記で定義された方法によって得られるブラシを提供する。
【００４７】
また本発明は、そのようなブラシを具備したメイクアップ装置も提供する。
【００４８】
特にメイクアップ装置は、物質の供給部を含んだ容器と、ワイパーと、一端がハンドルに取り付けられ且つ他端がブラシに取り付けられた塗付装置とを備えることができる。
【発明を実施するための最良の形態】
【００４９】
本発明は、発明を制限しない以下の詳細な説明を読み、添付図面を参照することによって、よく理解されるであろう。
【００５０】
本発明による第一実施形態を、図１〜図３を参照して説明する。
【００５１】
図３は最終状態のブラシ１０を示している。
【００５２】
コア１１は一例であり、巻きを形成する金属ワイヤによる二つの互いにより合ったより線によって構成され、その間に剛毛の房が保持され、その剛毛は簡潔に示すため図１から図３には示していない。
【００５３】
剛毛の自由端部によって画定されるエンベロープのみを示す。
【００５４】
コア１１は、その一端が軸線Ｙを有するハンドルの柄に接続している。
【００５５】
図示の例において、柄１３がプラスチック材料から作られ、コア１１がその遠位に備えられたハウジングに入れられている。
【００５６】
ブランクのエンベロープ表面１４は、図１で示されているように、コア１１と同じ軸線Ｘ上にある遠位端部分１４ａと、組み合わせて形成されており、そのコアは最初に直線状で、軸線Ｘの周囲に円筒形部分１４ｂを有している。
【００５７】
図１のブランクは、コア１１を第一軸線Ｃ１に関して曲げることによって、図２のブラシに変えられる。
【００５８】
記載例において、軸線Ｃ１は図１のブランクの中間面に含まれ、軸線Ｘに対して垂直に延び、ブラシに沿ってコアと途中で交差している。
【００５９】
コア１１は曲がった後、部分１４ａがテーパー状のままで、部分１４ｂが円環体の一部になる。
【００６０】
図２のブラシのコア１１は、軸線Ｃ１に対し垂直な湾曲平面に含まれている。
【００６１】
図２のブラシを本発明により、図３に示したようなブラシに変えるため、軸線Ｃ１に対して垂直な軸線Ｃ２に関して曲げることで、コア１１が最初に曲がる面の外側に追加して曲げられる。もちろん、本発明の範囲内では、軸線Ｃ２が軸線Ｃ１に交差しようと、互いに垂直であろうと問題ではない。従って、軸線Ｃ２が図２のブラシの湾曲平面に位置する必要はないが、湾曲平面に関して角度をなすことができる。
【００６２】
本発明によるブラシ１０の近位端部１０ａが、図３に示されているように、柄１３の軸線Ｙと実質的に一直線に配置され、比較的均一な方法でこすり付けられる。
【００６３】
ブラシ１０は、かなり複雑な形状をし且つ、不均一な方法でこすり付けられる遠位端部を有している。
【００６４】
詳しくは、軸線Ｙから最も遠い遠位端部分１ａの偏向領域１０ｂは、比較的入念にこすり付けられ、径方向に向かい合った対向領域１０ｃが、大雑把にこすり付けられるか、または軸線方向Ｙにかなり近接するので、全くそうでなくとも、軸線Ｙからの距離が、ワイパーのオリフィスの直径以下となり、前記直径よりも大きくなるということはない。
【００６５】
従ってユーザーには、単一ブラシが、特別な物質をまつげに対し局所的に付ける際に役立つ物質の大きな供給部と、充分にこすり付けられ且つ、まつげを組み合わせたり、分けたりするために使用することができる部分との両方を、備えることが分かる。
【００６６】
物質をまつげに付ける時、ブラシを柄３の軸線Ｙの周囲に向けて、偏心領域１０ｂにおける剛毛を、まつげの間に剛毛が簡単に入ることができるように、軸線Ｙに関して横方向に揺動させ、まつげに充分に付ける方法を改善することができる。
【００６７】
図３の例において、コア１１の曲率半径は比較的大きい。
【００６８】
本発明の範囲内で、例えばジグザグ線を形成するように、非常に小さな曲率半径で、コアを曲げることが可能である。
【００６９】
一例として、図５は図１に示されている種類の円筒形ブランクから得られるブラシ２０を示しており、コア１１は軸線Ｃ１に関し比較的小さな曲率半径で、最初に曲げられて、図４に示されたような二つの直線状セグメントを形成し、その一方が近位で他方が遠位である。その後に、遠位セグメントが軸線Ｃ２に関して第二の曲がりを生じ、ブラシの遠位端部を、図４のブラシの湾曲平面から出て延びる方向に向ける。
【００７０】
図５に示されているブラシ２０は、柄１３の軸線上に実質的に位置して均一こすり付けられる近位端部分２０ａと、軸線Ｙから偏向して、図３におけるブラシ１０の偏向領域１０ｂのように不均一にこすり付けられる接合される遠位端部分２０ｂとを有している。
【００７１】
図１から図５を参照して説明した例では、最初のブラシは通常円対称な形状をしている。
【００７２】
本発明の範囲内で、本発明によるブラシをブランクから作ることができ、その最初の形状がかなり複雑で、特に一つ以上の切欠面を具備し、及び／または延長部分に沿って断面が円形でない、例えば実質的にプリズム形状、また特に三角形状をした断面を少なくとも部分的に有している。
【００７３】
図面のように、図１１において完成した状態を示したブラシ３０の製造状態を、図６から図１１を参照して説明する。図６において示されたようなノッチ３１を具備したブランクから始める。
【００７４】
ノッチ３１は、最初のブラシにおいて、その本体が最初は円筒形状、例えば図１に示されている種類の形状をしている。
【００７５】
ノッチ３１の底壁１４ｄは、円筒形表面部分によって画定されており、図６の平面に含まれる弓状部によって構成された指導線と、図６の平面に垂直な母線とから成る。
【００７６】
明確にするため、図６はコア１１の巻線の間に保持された剛毛１２を数個だけ示している。
【００７７】
図６のブラシのエンベロープ表面は、エンベロープ表面１４ｃと組み合わさったテーパー状のエンベロープ表面１４ａによって画定され、ノッチ３１の底壁１４ｄを除いて円筒形状をしている。
【００７８】
図７〜図９は、断面VII-VII、VIII-VIII及びIX-IXにおける図６のブラシに関する種々の断面を示している。
【００７９】
本発明によるブラシ３０を作るため、ノッチ３１から逆側に配置した、図６のブラシのコア１１が、図６の平面に対し垂直な軸線に関して、コアの軸線Ｘに対し垂直な、ノッチ３１に関して対称的な中間面に近くで、最初に曲げられる。
【００８０】
その連続して曲げることにより、ノッチを平坦にし、ノッチ３１からその径方向に逆の側では、ブラシが外向きに凹状になる。
【００８１】
その後、図１０のブラシを図１１に示されているブラシ３０に変えるため、コア１１が図１０の平面と並行、すなわち前記図面におけるブラシのコア１１の平面と並行に、軸線Ｃ２に関して第二の曲げを行う。
【００８２】
記載の例において、軸線Ｃ２はコア１１に対して垂直な平面に含まれ、自由端部からブラシに沿った約四分の一の所でコアに交差する。
【００８３】
本発明によるブラシを作ることは、非常に広い様々な形状をしたブランクから始めることが可能である。
【００８４】
特に図１３のブラシ４０を、図１２に示したようなブランクから始めて、作ることが可能で、そのブランクは通常ピーナッツ形状、すなわちそれは、柄１３に近い近位部分、ブラシまでの自由端部近くに配置した遠位部分との二つの膨張部分の間に、最一部分を有する直径の円対称な本体を形成する。
【００８５】
記載例におけるブラシ４０を得るため、図１２のブランクのコア１１で行われる曲げは、図１のブランクを図３のブラシ１０に変形させるのと同じ曲がりである。
【００８６】
図１４に示されているブランク５０は、通常弾丸形状で、コア１１に対して垂直で、ブラシに沿って途中でコアを交差する中間面Ｐに関して、非対称的である。
【００８７】
ブランク５０は、直線状のコア１１の軸線Ｘに関して通常の円対称であり、最大直径の円５１で最大直径になる。
【００８８】
ブラシの本体は切頭円錐形状であり、最大直径の円５１と一致する大きなベースを有し、それは弾丸形状をしたブラシの遠位端部分に接合する。
【００８９】
図１５に示されたブランク６０は、通常のブイ形状であり、直線状コア１１の軸線に関して円対称である。
【００９０】
そのエンベロープ表面は、その大直径のベース６３を介して合わさった、二つの切頭円錐形部分６１及び６２によって画定されている。
【００９１】
図１６及び図１７に示されているブランク７０及び８０は、一般的な魚形状をしており、直線状コア１１の軸線Ｘに関して円対称である。
【００９２】
ブラシ７０の直径は、最大直径の円７１で最大であり、最大直径の円はブラシの自由端部からブラシの延長に沿って約四分の一に位置している。
【００９３】
ブラシ７０の直径は、最大直径の円７１と柄１３に近接したブラシの端部７３との間に配置した狭い部分７２で最小になっており、その部分は例示したブラシに沿って途中の実質的に約四分の一に位置している。
【００９４】
図１７に示されたブランク１７は、特に最大直径の円８１と切頭円錐形状をした自由端部との間に位置したブラシの遠位端部分の形状が、図１６に示されているものとは異なり、ブラシの直径が円８１と狭い部分８２との間で実質的に直線状に減っている。
【００９５】
図３９に示されているブランク１２０は、一般的な漏刻計形状をしており、ブラシにおける二つの軸線方向端部の間で最小になる直径を有している。
【００９６】
図４０に示されているブランク１３０は、一般的なラグビーボール形である。
【００９７】
本発明によるブラシは、図１４〜図１７、図３９及び図４０に示されているブランクから成っており、また互いに並行でない少なくとも二つの軸線に関して、コア１１を曲げることによって、作られる。
【００９８】
コアに生じる第一の曲がりは、ブランクの非直線縁部を少なくとも部分的に真っ直ぐにすることを目的としており、それは縁部を直線状にするためであって、少なくともへこませることはない。
【００９９】
その縁部は、ブランクをコア１１の軸線Ｘに対して垂直方向に見ると、ブランクの頂縁部または底縁部であり得る。
【０１００】
一例として、関連した縁部が最大直径の円５１の近接した図１４の頂縁部５３であり得る。前記縁部５３は、楕円弓状部５５とブランクの本体に関する母線５４との組み合わせによって構成されている。
【０１０１】
連続して第一の曲がりを行うことにより、頂縁部５３に起こして、図１８に示されているように、弓状部５５の一部を母線５４と並ぶようにする。
【０１０２】
ブランク１５に関して、コアにできる二つの曲がりの一つにより、実質的にブランクの頂縁部を構成する母線６４及び６５を、図１９に示されているように、互いに並べることができる。
【０１０３】
図１６及び図１７に示されているブランクに関して、それら曲がりの一つにより凹状の底部または頂縁部７４、８４または７５、８５を平坦にする効力を有しており、底部または頂部は図２０または２１に示されているように、狭い部分７２、８２の底部または頂部を画定している。
【０１０４】
図３９のブランク１２０に関して、曲がりの一つは二つの切端コーンが接合した箇所で、凹角１２１の形をした縁部を起こすように作用でき、実質的に直線状にする。
【０１０５】
コアを曲げる前に、ブランク上で一つ以上の切欠面を機械加工することが可能である。
【０１０６】
それらの切欠面は、実質的にコア１１などと並行な平面にすることができ、切欠面はコアを偏向配置させる効力を有し得る。
【０１０７】
図２２は、三つの切欠面７６がそこでカットされた後の図１６におけるブランクを示している。
【０１０８】
切欠面７６は実質的に、コア１１と並行な平面であり、ブラシの膨張部分に少し延びている。
【０１０９】
切欠面は膨張部分の断面を、図２３で見られるように幾分か三角形状にする。
【０１１０】
変形例ではノッチ７６´を、図２４に示されているように切欠面７６の代わりに、ブラシ上に作ることができる。
【０１１１】
それらノッチ７６´は、図面に示されているように断面が外向きに凹状をし得る。
【０１１２】
図２２のブランクは、第一軸線Ｃ１に関して、その近位部分を変形させるように、特にその頂縁部に追加的な曲がりを生じさせる間、底縁部を起こすように曲げられ得る。
【０１１３】
軸線Ｃ２に関する第二の曲がりは、切欠面７６の一つを例えば凹状または凸状にする効果を有し得る。
【０１１４】
従って軸線Ｃ２は、コア１１に対し垂直な平面に配置し得、且つ切欠面７６の面と平行になり得る。
【０１１５】
図２６及び図２７は、図６に示されているものと異なったブランクを示しており、それは一つだけのノッチに代わって、三つのノッチ３１を有し、ゆえにブラシの場合、断面で見ると、形状が図２７に示されているように普通の三角形をしている。
【０１１６】
図２６及び図２７の例において、ノッチ３１は底壁１４ｄを有し、その断面は平坦である。変形例において、それらノッチはノッチ３１´に取り替えられて、その底壁１４ｄ´は図２８に示されているように外向きに凹状になる。
【０１１７】
ノッチ３１´は、コア１１に対し垂直方向に見ると、外形が凹状であり、ノッチ７６´は、コア１１に対し垂直方向に見ると外形が直線状である。
【０１１８】
図２９は、本発明によるブラシを具備した包装及び塗布装置１００を示している。
【０１１９】
柄１３は、キャップ１０１に固定され、そのキャップはハンドルとして、そしてまつげに付ける物質Ｍ、例えば液体マスカラを含んだ容器１０２を密閉して閉じる部材としての、両方の働きをする。
【０１２０】
容器１０２は、外側にねじ付ネック１０３と、その内側に固定されたワイパー１０４を有し、ワイパーは適当な普通タイプであり得、且つ好ましくは柄１３を拭き取るため適切で、容器から引き抜かれる。またワイパーはオリフィスを有し得、その直径は柄１３の直径に合致し得る。
【０１２１】
本発明によるブラシを柄１３の軸線Ｙに対して垂直方向に見ると、コアの曲がりによって、まつげ上で異なる動きを行うのに適した領域を備えるため変形する外形を提供する。
【０１２２】
ブラシが、柄１３の軸線Ｙに関して回転させると、剛毛がまつげの間に良く入ることができ、且つ剛毛がまつげに付くのを良好に行えるように、横方向の揺動を行う。
【０１２３】
コアに関する曲がりを適切に選択することによって、剛毛を特定の方向に向けることができる。
【０１２４】
図３０及び図２９を参照して下記で説明して、先ず左巻きピッチブラシは特に有利であることを明らかにする。
【０１２５】
図３０は、左巻きピッチを使用してより合ったコア備えた図３のブラシを示している。
【０１２６】
剛毛の端部によって画定されたシートＮにより連続するルートが、点線で示されており、それらのシートは、コアと垂直な平面に関して角度ｖを成している。
【０１２７】
図３０を参照すると、シートＮと柄の軸線Ｙとの間の角度が、ブラシの自由端部に向かって減っており、従ってまぶたの端部におけるまつげＨと、シートＮとの間に相対的に大きな角度ｉを維持するので、ゆえにまつげを上手く分けることを可能にしている。
【０１２８】
コアは、図３２に示したように、右巻きに寄り合わされて、シートを選択方向に向けるため、コアに曲がりができるように作用することも可能である。
【０１２９】
図３３に示したように、本発明のブラシに段を作ることが可能である。この図面では、ブラシがその表面に、少なくともその長さの一部分を占めるセットバック１１０を形成するように、機械加工されていることが分かり、実質的に放射状の側面を有している。
【０１３０】
図３４及び図３５は、本発明による実施例を構成するブラシを示しおり、そこでは寄り合わされたコアが、少なくとも二つの非並行な軸線に関して曲げられている。
【０１３１】
図３４を参照すると、ブラシが、側方から見ると明らかなように、剛毛のふさの間の間隙が大きな領域１４０ａ及び１４０ｂと、間隙が小さな領域１４１ａ及び１４１ｂとを備えていることが分かる。
【０１３２】
領域１４０ａ及び１４１ａは、径方向に対向して配置し、実質的にその自由端部からブラシの長さの最初の半分にかけて延びている。
【０１３３】
図３５に示されたように、ブラシを約四分の一回転回すと、第一頂部半分の領域１４０ａは、更に大きな間隙を有し、第一底部半分の領域１４１ａには、実際にまったく間隙がない。第二頂部半分の領域１４１ｂには、図３４よりも大きな間隙になり、第二底部半分の領域１４０ｂには更に小さな間隙になる。
【０１３４】
これはブラシに沿った様々な方位の剛毛を示しており、本発明により作られた確かなブラシを、視覚的観察により非常に簡単に認識できる。
【０１３５】
図３６及び図３７は様々な方法を示しており、それには本発明によるブラシを使用できる。
【０１３６】
図３６において、まぶたの一方の端にあるまつげをメイクアップするため、ブラシを第一方位で使用することが可能であることが分かる。まぶたの別の端にあるまつげをメイクアップするため、図３７に示したように、ブラシは第一方位とは異なる第二方位で使用することができる。
【０１３７】
上記の全ての例は、寄り合わされたコアを有したブラシに関するものである。
【０１３８】
本発明の範囲内で、ブラシに関して、図３８に示されているようにブラシ材料、特に熱可塑性材料を押し出し成形することによって作られる。そのようなブラシは、直線状で且つ熱い間は変形する軸により作ることができ、または他の例において、ブラシは成形体を適切な形状にするため、既に曲がった状態で作ることができる。
【０１３９】
ブラシがより合わせコアを有すると、柄に固定されたコアの端部の近接で曲げられて、図４１に示されているように、柄の軸線とコアの軸線との間に角度ｃを、ブラシの端部の近く、すなわち柄の近くで形成する。
【０１４０】
図４２は、図３のブラシと、ハンドル部材に連結した柄の端部から、コアに固定された柄の端部を向いた、柄の方向ベクトルｕを示している。
【０１４１】
コアのいずれかのポイントにおいて、コアの方向である方向ベクトルｕが、柄に固定された柄の端部から、コアの自由端部へ向いている。
【０１４２】
ｕとｖとの間の角度は、常に90°以下である。
【０１４３】
本発明は、上記実施例に限定されるものではない。
【０１４４】
特にコアは、二つ以上の軸線に関してまげることができ、例えば二つの並行軸線に関してＳ字形に曲げることができ、そしてほかの二つの軸線とは並行でない第三の軸線に関して曲げることができる。
【０１４５】
コアに生じる曲がりは、より明らかにするため図面に示されているように、誇張する必要はない。
【０１４６】
もちろん、曲がりは本発明の範囲内で、変えることができ、特にまぶたの曲がりに合致させることができる。
【図面の簡単な説明】
【０１４７】
【図１】ブラシブランクの概略斜視図であり、それから本発明によるブラシが作られる。
【図２】第一軸の周囲に曲げられた図１のブランク。
【図３】図２のブラシを第一軸とは並行でない第二軸の周囲に曲げた後の本発明によるブラシ。
【図４】コアが第一軸の周囲に曲げられ、それから作ることができる本発明によるブラシ。
【図５】図４のコアを第一軸とは並行でない第二軸の周りに曲げることによって得られた、本発明によるブラシ。
【図６】本発明によるブラシを作ることができるブランクで、ノッチを具備したブラシ。
【図７】図６のブラシの平面VII-VIIにおける横断面図。
【図８】図６のブラシの平面VIII-VIIIにおける横断面図。
【図９】図６のブラシの平面IX-IXにおける横断面図。
【図１０】コアを第一軸の周囲に曲げた後の図６のブラシ。
【図１１】図１０のブラシのコアを、第一軸とは並行でない第二軸の周囲に曲げることによって得られた、本発明によるブラシ。
【図１２】本発明によるブラシを作るため使用することができる、ピーナッツ形状のブランクの概略斜視図。
【図１３】図１２のブランクから得られた本発明によるブラシ。
【図１４】本発明によるブラシを作ることができる別の最初の形状を示した概略図。
【図１５】本発明によるブラシを作ることができる別の最初の形状を示した概略図。
【図１６】本発明によるブラシを作ることができる別の最初の形状を示した概略図。
【図１７】本発明によるブラシを作ることができる別の最初の形状を示した概略図。
【図１８】コアを第一軸の周囲に曲げた後に得られるブラシ。
【図１９】コアを第一軸の周囲に曲げた後に得られるブラシ。
【図２０】コアを第一軸の周囲に曲げた後に得られるブラシ。
【図２１】コアを第一軸の周囲に曲げた後に得られるブラシ。
【図２２】切欠面がカットされている図１６のブランクの概略斜視図。
【図２３】図２２の平面XIII-XIIIにおける概略横断面図。
【図２４】別の実施例を示した図２３と類似の図。
【図２５】コアが第一軸の周囲に曲げられた後の図２２のブラシ。
【図２６】複数のノッチが形成された図６のブラシ。
【図２７】図２５の平面XXVI-XXVIにおける概略横断面図。
【図２８】別の実施例を示した図２６と類似の図。
【図２９】本発明によるブラシを備えた塗付装置を具備する収容及び塗布装置の概略図。
【図３０】コアを左巻きにひねって、物質をまつげに付ける図３のブラシであり、剛毛の端部によって確定されたシートの一部だけを示した図。
【図３１】左巻きのピッチブラシ関して、らせん状シート、まつげ、及びコアの軸の間の種々の角度を示した図。
【図３２】右巻きのピッチブラシに関して、図２９と類似の図。
【図３３】段のある断面図。
【図３４】平面上になく、通常三角形状の横断面のより合わせコアを有したブラシの側面図。
【図３５】ブラシをハンドルの柄の軸の周囲で約四分の一回転回した後の図３２のブラシの側面図。
【図３６】本発明による曲がるコアブラシを使用し得る別の方法。
【図３７】本発明による曲がるコアブラシを使用し得る別の方法。
【図３８】一体成形されたブラシの一部分。
【図３９】コアが曲げられる前の最初のブラシに関する別の例。
【図４０】コアが曲げられる前の最初のブラシに関する他の例。
【図４１】ハンドルの柄の近くの端部で、角度をなして曲がったコアの一部分。
【図４２】図３のブラシであり、柄の方向ベクトルをコアのいずれかのポイントで示した図。
【符号の説明】
【０１４８】
５      ブラシ
１０    ブラシ
１０ａ  近位端部
１０ｂ  偏心領域
１０ｃ  対向領域
１１    コア
１３    柄
１４    エンベロープ表面
１４ａ  遠位端部／エンベロープ表面
１４ｂ  円筒形部分
１４ｃ  エンベロープ表面
１４ｄ  底壁
１４ｃ´底壁
２０    ブラシ
２０ａ  近位端部
２０ｂ  遠位端部
３０    ブラシ
３１    ノッチ
３１´  ノッチ
４０    ブラシ
５０    ブランク
５１    最大直径の円
５３    縁部
５４    母線
５５    弓状部
６０    ブランク
６１    切頭円錐形部分
６２    切頭円錐形部分
６３    ベース
６４    縁部／母線
６５    縁部／母線
７０    ブランク
７１    最大直径の円
７２    狭い部分
７３    端部
７４    縁部
７５    縁部
７６    ノッチ
７６´  ノッチ
８０    ブランク
８２    狭い部分
８４    縁部
８５    縁部
１０１  容器／キャップ
１０２  ハンドル部材／容器
１０３  ワイパー
１０４  ワイパー
１１０  セットバック
１２０  ブランク
１３０  ブランク
１４０ａ第一頂部半分の領域
１４０ｂ第二頂部半分の領域
１４１ａ第一底部半分の領域
１４１ｂ第二底部半分の領域
Ｃ１     軸線
Ｃ２     軸線
Ｍ      物質
Ｎ      シート
Ｐ      中間面
Ｘ      軸線
Ｙ      軸線
【図１】
2005193067.tif 000003
【図２】
2005193067.tif 000004
【図３】
2005193067.tif 000005
【図４】
2005193067.tif 000006
【図５】
2005193067.tif 000007
【図６】
2005193067.tif 000008
【図７】
2005193067.tif 000009
【図８】
2005193067.tif 000010
【図９】
2005193067.tif 000011
【図１０】
2005193067.tif 000012
【図１１】
2005193067.tif 000013
【図１２】
2005193067.tif 000014
【図１３】
2005193067.tif 000015
【図１４】
2005193067.tif 000016
【図１５】
2005193067.tif 000017
【図１６】
2005193067.tif 000018
【図１７】
2005193067.tif 000019
【図１８】
2005193067.tif 000020
【図１９】
2005193067.tif 000021
【図２０】
2005193067.tif 000022
【図２１】
2005193067.tif 000023
【図２２】
2005193067.tif 000024
【図２３】
2005193067.tif 000025
【図２４】
2005193067.tif 000026
【図２５】
2005193067.tif 000027
【図２６】
2005193067.tif 000028
【図２７】
2005193067.tif 000029
【図２８】
2005193067.tif 000030
【図２９】
2005193067.tif 000031
【図３０】
2005193067.tif 000032
【図３１】
2005193067.tif 000033
【図３２】
2005193067.tif 000034
【図３３】
2005193067.tif 000035
【図３４】
2005193067.tif 000036
【図３５】
2005193067.tif 000037
【図３６】
2005193067.tif 000038
【図３７】
2005193067.tif 000039
【図３８】
2005193067.tif 000040
【図３９】
2005193067.tif 000041
【図４０】
2005193067.tif 000042
【図４１】
2005193067.tif 000043
【図４２】
2005193067.tif 000044